(57)【要約】【課題】新規な立体映像表示技術を提供する。【解決手段】本発明に係る立体映像表示装置１０は、ガラス基板１１と、ガラス基板１１上に形成されており、発光層１５を有する複数の有機ＥＬ素子１とを備えており、複数の有機ＥＬ素子１は、右目用画像を表示する１以上の右目用素子１Ｒ、および左目用画像を表示する１以上の左目用素子１Ｌを含み、  右目用素子１Ｒのそれぞれの出射光の主成分が観察者の右目２Ｒに進み、左目用素子１Ｌのそれぞれの出射光の主成分が観察者の左目２Ｌに進むように、１以上の右目用素子１Ｒの少なくとも１部および１以上の左目用素子１Ｌの少なくとも１部において、発光層１５の発光面がガラス基板１１に対して傾きを有している。【選択図】図１
2010217581.tif 000002
【特許請求の範囲】
【請求項１】
基板と、該基板上に形成されており、発光層を有する複数の発光素子とを備えており、互いに異なり得る第１対象用画像および第２対象用画像を表示する表示装置であって、
上記複数の発光素子は、上記第１対象用画像を表示するための１以上の第１発光素子、および上記第２対象用画像を表示するための１以上の第２発光素子を含み、
上記１以上の第１発光素子のそれぞれの出射光の主成分が第１対象に進み、上記１以上の第２発光素子のそれぞれの出射光の主成分が第１対象とは異なる第２対象に進むように、上記１以上の第１発光素子の少なくとも１部および上記１以上の第２発光素子の少なくとも１部において、上記発光層の発光面が上記基板に対して傾きを有していることを特徴とする表示装置。
【請求項２】
上記発光層は第１電極と第２電極とに挟まれており、
上記第１電極および上記第２電極の何れか一方が反射電極であり、他方が半透過反射電極であり、上記発光素子がマイクロキャビティ構造を有していることを特徴とする請求項１に記載の表示装置。
【請求項３】
上記複数の発光素子を含んで構成される表示パネルにおける上記発光素子の配設位置が該表示パネルの中央部から端部に向かうに従って、上記傾きが大きくなることを特徴とする請求項１または２に記載の表示装置。
【請求項４】
上記傾きは、０°より大きく１７°以下であることを特徴とする請求項３に記載の表示装置。
【請求項５】
上記第１発光素子の上記発光層は、当該第１発光素子に隣接して設けられている上記第２発光素子の上記発光層に対して角θの傾きを有しており、該角θは９０°以上１８０°未満であることを特徴とする請求項１または２に記載の表示装置。
【請求項６】
上記発光素子は、上記発光層が有機エレクトロルミネッセンス層である有機エレクトロルミネッセンス素子であることを特徴とする請求項１から５までの何れか１項に記載の表示装置。
【請求項７】
上記発光素子の前面に、特定方向に進む光のみ透過させる透光部と、それ以外の方向に進む光を遮光する遮光部とを有しているバリア素子が配設されていることを特徴とする請求項１から６までの何れか１項に記載の表示装置。
【請求項８】
上記発光素子の前面に、各発光素子からの出射光をそれぞれ集光するための球面レンズが配設されていることを特徴とする請求項１から６までの何れか１項に記載の表示装置。
【請求項９】
基板上に配線、層間絶縁膜、第１電極、発光層および第２電極をこの順に設けることにより形成される複数の発光素子を備えた表示装置の製造方法であって、
上記層間絶縁膜または上記第１電極の、上記基板と反対側の面に、上記基板に対して傾斜を設ける工程を含むことを特徴とする表示装置の製造方法。
【請求項１０】
上記層間絶縁膜または上記第１電極を形成した後に、表面に傾斜パターンが形成された加圧部材を用いて上記層間絶縁膜または上記第１電極を加圧することにより、上記傾斜を設けることを特徴とする請求項９に記載の表示装置の製造方法。
【請求項１１】
上記層間絶縁膜または上記第１電極を形成した後に、上記層間絶縁膜または上記第１電極に対してラビング処理を行うことにより、上記傾斜を設けることを特徴とする請求項９に記載の表示装置の製造方法。
【請求項１２】
上記層間絶縁膜または上記第１電極を形成する際に、上記層間絶縁膜または上記第１電極の材料を保持する蒸着材料保持具の蒸発面に対して上記基板を傾けて配置し、上記材料を蒸着させることにより上記層間絶縁膜または上記第１電極を形成することを特徴とする請求項９に記載の表示装置の製造方法。
【発明の詳細な説明】
【技術分野】
【０００１】
本発明は、表示装置およびその製造方法に関し、特に、複数の対象に互いに異なる画像を認識させ得る表示装置およびその製造方法に関する。
【背景技術】
【０００２】
３次元映像を表示する方式として、従来、専用の眼鏡を利用せずに表示する方式がある。これは、左右の目にそれぞれ違う映像を認識させることにより、映像を立体的に見せるという手法である。その代表方法として、パララックスバリア方式およびレンチキュラー方式が知られている（例えば、特許文献１参照）。
【０００３】
図１３は、パララックスバリア方式による立体映像表示の原理を示す図である。映像パララックスバリア方式は、ストライプ状の右目用画像１０１Ｒおよび左目用画像１０１Ｌを交互に表示し、バリアストライプと呼ばれる細かいストライプ状の遮光スリット１０３を用いて右目用画像１０１Ｒを右目１０２Ｒに、左目用画像１０１Ｌを左目１０２Ｌに到達させる方式である。図１４は、レンチキュラー方式による立体映像表示の原理を示す図である。レンチキュラー方式は、多数の小さなレンズが組み込まれたものであるレンチキュラー１０４を用いて右目用画像１０１Ｒを右目１０２Ｒに、左目用画像１０１Ｌを左目１０２Ｌに到達するように、光の進行方向を制御する方式である。
【先行技術文献】
【特許文献】
【０００４】
【特許文献１】特開２００５−９１８３４号公報（平成１７年４月７日公開）
【発明の概要】
【発明が解決しようとする課題】
【０００５】
しかしながら、従来の技術においては以下のような問題がある。
【０００６】
パララックスバリア方式では、遮光スリット１０３によってパネルからの光が遮断されるため、開口率が落ち、パネル輝度が低下してしまうといった問題がある。また、遮光スリット１０３自体も目障りとなる。レンチキュラー方式では、パネル輝度が低下しないものの、レンズによる集光を行っているため、画像に歪みが生じてしまう。
【０００７】
そこで、本発明は上記の問題点に鑑みてなされたものであり、その目的は、新たな立体映像表示に利用し得る表示装置を提供することにある。
【課題を解決するための手段】
【０００８】
本発明に係る表示装置は、上記課題を解決するために、基板と、該基板上に形成されており、発光層を有する複数の発光素子とを備えており、互いに異なり得る第１対象用画像および第２対象用画像を表示する表示装置であって、上記複数の発光素子は、第１対象用画像を表示するための１以上の第１発光素子、および第２対象用画像を表示するための１以上の第２発光素子であり、上記複数の第１発光素子のそれぞれの出射光の主成分が第１対象に進み、上記複数の第２発光素子のそれぞれの出射光の主成分が第１対象とは異なる第２対象に進むように、上記１以上の第１発光素子の少なくとも１部および上記１以上の第２発光素子の少なくとも１部において、上記発光層の発光面が上記基板に対して傾きを有している構成である。
【０００９】
上記構成によれば、表示装置は基板上に、第１対象用画像を表示するための１以上の第１発光素子と、第２対象用画像を表示するための１以上の第２発光素子とを有している。各第１発光素子からの出射光の主成分が第１対象に進むように、少なくとも一部の第１発光素子では、発光層が基板に対して傾いている。これにより、第１発光素子からの出射光の主成分のそれぞれは第１対象に向かって進むことになる。また、同様に、各第２発光素子からの出射光の主成分が第１対象とは異なる第２対象に進むように、少なくとも一部の第２発光素子では、発光層が基板に対して傾いている。これにより、第２発光素子からの出射光の主成分のそれぞれは第２対象に向かって進むことになる。そのため、第１対象用画像を第１対象に対して表示し、第２対象用画像を第２対象に対して表示することが可能となり、第１対象および第２対象に互いに異なる画像を表示させることが可能となる。
【００１０】
例えば第１対象および第２対象がそれぞれ観察者の右目および左目である場合には、右目と左目とに異なる画像を見せることができるため、立体画像表示装置として機能し得る。また、例えば第１対象および第２対象とが互いに異なる位置から視聴する複数の観察者である場合には、各観察者に対して異なる画像を見せるいわゆるデュアルビュー表示装置として機能し得る。
【００１１】
また、本発明に係る表示装置において、上記発光層は第１電極と第２電極とに挟まれており、上記第１電極および上記第２電極の何れか一方が反射電極であり、他方が半透過反射電極であり、上記発光素子がマイクロキャビティ構造を有していることが好ましい。
【００１２】
上記構成によれば、発光層で発光した光が第１電極と第２電極との間で反射を繰り返し、共振により強まった光が半透過反射電極側から出射する。このとき、出射する光に指向性が生じる。従って、第１発光素子からの光のより多くを第１対象に向かわせ、第２対象に向かう第１発光素子からの光を少なくし、同様に第２発光素子からの光のより多くを第２対象に向かわせ、第１対象に向かう第２発光素子からの光を少なくすることができる。これにより、第１対象および第２対象それぞれに異なる画像を良好に見せることができる。
【００１３】
上記複数の発光素子を含んで構成される表示パネルにおける上記発光素子の配設位置が該表示パネルの中央部から端部に向かうに従って、上記傾きが大きくなることが好ましい。
【００１４】
上記構成によれば、表示パネルの正面ほぼ中央から観察する観察者に対して良好な立体映像表示が可能となる。
【００１５】
また、本発明に係る表示装置において、上記傾きは、０°より大きく１７°以下であることが好ましい。
【００１６】
上記構成によれば、表示パネルの大きさが何れの場合であっても、当該表示パネルの最適視聴距離に位置する観察者に対して良好な立体映像表示が可能となる。
【００１７】
また、本発明に係る表示装置において、上記第１発光素子の上記発光層は、当該第１発光素子に隣接して設けられている上記第２発光素子の上記発光層に対して角θの傾きを有しており、角θは９０°以上１８０°未満であることが好ましい。
【００１８】
上記構成によれば、第１発光素子の出射面からの光が、隣接する第２発光素子の出射面によって遮られてしまうことを防ぐことができる。またその逆も同様である。これにより、各発光素子からの光を、より確実にそれぞれの対象に到達させることができる。
【００１９】
また、本発明に係る表示装置において、上記発光素子は、上記発光層が有機エレクトロルミネッセンス層である有機エレクトロルミネッセンス素子であることが好ましい。
【００２０】
上記構成によれば、高輝度で表示特性に優れた表示装置を実現できる。
【００２１】
また、本発明に係る表示装置は、上記発光素子の前面に、特定方向に進む光のみ透過させる透光部と、それ以外の方向に進む光を遮光する遮光部とを有しているバリア素子が配設されていることが好ましい。
【００２２】
上記構成によれば、第１発光素子からの出射光のうち第１対象に進む光のみをバリア素子から透過させることができ、第２対象に進む光を遮光することができる。その逆も同様である。そのため、第１対象には第１対象用画像を、第２対象には第２対象用画像をより特異的に見せることができる。したがって、第１対象および第２対象それぞれに異なる画像をより良好に見せることができる。
【００２３】
また、本発明に係る表示装置は、上記発光素子の前面に、各発光素子からの出射光をそれぞれ集光するための球面レンズが配設されていることが好ましい。
【００２４】
上記構成によれば、第１発光素子からの出射光のより多くを第１対象に進ませることができ、第２対象に進む光を少なくすることができる。またその逆も同様である。したがって、第１対象および第２対象それぞれに異なる画像をより良好に見せることができる。
【００２５】
本発明に係る表示装置の製造方法は、上記課題を解決するために、基板上に配線、層間絶縁膜、第１電極、発光層および第２電極をこの順に設けることにより形成される複数の発光素子を備えた表示装置の製造方法であって、上記層間絶縁膜または上記第１電極の、上記基板と反対側の面に、傾斜を設ける工程を含む構成である。
【００２６】
上記構成によれば、発光素子を形成する際に、層間絶縁膜の、基板とは反対側の面を、基板に対して傾いた面とすることができる。これにより層間絶縁膜上に形成される第１電極および発光層も基板に対して傾くことになり、その結果、発光層の発光面を基板に対して傾けることができる。同様に、層間絶縁膜ではなく、第１電極の、基板とは反対側を、基板に対して傾いた面とすることができる。この場合、第１電極上に形成される発光層は基板に対して傾くことになる。その結果、発光層の発光面を基板に対して傾けることができる。したがって、各発光層の傾斜角度を調節することにより、各発光素子を有する画素からの出射光の方向を制御できる。
【００２７】
また、本発明に係る表示装置の製造方法では、上記層間絶縁膜または上記第１電極を形成した後に、表面に傾斜パターンが形成された加圧部材を用いて上記層間絶縁膜または上記第１電極を加圧することにより、上記傾斜を設けることが好ましい。
【００２８】
また、本発明に係る表示装置の製造方法では、上記層間絶縁膜または上記第１電極を形成した後に、上記層間絶縁膜または上記第１電極に対してラビング処理を行うことにより、上記傾斜を設けることが好ましい。
【００２９】
これらの構成によれば、層間絶縁膜または第１電極の表面を容易に傾斜させることができる。
【００３０】
また、本発明に係る表示装置の製造方法では、上記層間絶縁膜または上記第１電極を形成する際に、上記層間絶縁膜または上記第１電極の材料を保持する蒸着材料保持具の蒸発面に対して上記基板を傾けて配置し、上記材料を蒸着させることにより上記層間絶縁膜または上記第１電極を形成することが好ましい。
【００３１】
これらの構成によれば、製造工程数を増加させることなく、層間絶縁膜または第１電極の表面を容易に傾斜させることができる。
【発明の効果】
【００３２】
以上のように、本発明に係る表示装置は、少なくとも一部の発光素子における発光層の発光面が基板に対して傾いており、第１発光素子からの出射光の主成分は第１対象に進み、第２発光素子からの出射光の主成分は第２対象に進む構成である。したがって、複数の画像を表示する際に、第１対象用画像を第１対象に見せ、第２対象用画像を第２対象に見せることができる。
【図面の簡単な説明】
【００３３】
【図１】本発明の表示装置の一実施形態における構成を表す部分断面図である。
【図２】マイクロキャビティ効果を利用した光の取り出しについて説明する図である。
【図３】マイクロキャビティ効果により得られる光の特質を表す図である。
【図４】マイクロキャビティ効果により得られる光の視野角特性を示す図である。
【図５】本発明の表示装置の構造を示す部分断面図であり、（ａ）はトップエミッション構造を有する表示装置であり、（ｂ）はボトムエミッション構造を有する表示装置である。
【図６】本発明の表示装置を用いた立体映像表示の原理を示す図である。
【図７】発光層の角度と、表示パネルにおける位置との関係を示す図である。
【図８】本発明の別の実施形態における立体映像表示の原理を示す図である。
【図９】本発明の製造方法における傾斜形成方法の一実施形態を表す図である。
【図１０】本発明の製造方法における傾斜形成方法の別の実施形態を表す図である。
【図１１】本発明の製造方法における傾斜形成方法の別の実施形態を表す図である。
【図１２】デュアルビュー表示装置における、隣接する光出射面の傾きを示す図である。
【図１３】従来のパララックスバリア方式の立体映像表示の原理を表す図である。
【図１４】従来のレンチキュラー方式の立体映像表示の原理を表す図である。
【発明を実施するための形態】
【００３４】
〔実施の形態１〕
（立体映像表示装置の構成）
本発明の一実施形態について、図１〜図１１に基づいて説明すれば以下の通りである。本実施の形態では、特殊な眼鏡を用いずに３次元画像を観賞できる立体映像表示装置について説明する。
【００３５】
まず、立体映像表示装置（表示装置）の構成について図１を参照して説明する。図１は、立体映像表示装置１０の構成の一部を示す概略断面図である。図１に示すように、立体映像表示装置１０は、ガラス基板１１上に有機エレクトロルミネッセンス（ＥＬ）素子（発光素子）１が形成されており、さらに封止基板１９および円偏光板２０が形成されている。有機ＥＬ素子１は、ＴＦＴ回路の配線１２、配線１２を覆う層間絶縁膜１３、層間絶縁膜１３上に形成された陽極（第１電極）１４、陽極（第２電極）１４上に設けられた有機発光材料を含む発光層１５、および発光層１５上に設けられた陰極１６を含んで構成され、さらに無機封止膜１７および樹脂封止膜１８により覆われている。なお、図１には示していないが、ガラス基板１１上には、複数の有機ＥＬ素子１が形成されている。発光層１５は、有機ＥＬ層である。
【００３６】
図１に示すように、陽極１４の発光層１５側の面は、ガラス基板１１に対して傾きを有している。これにより、発光層１５全体がガラス基板１１に対して傾いて設けられている。そのため、発光層１５から出射する光のうち、発光層１５の発光面の法線方向に出射する光３０は、ガラス基板１１の法線方向に対して傾きを有している。また、発光層１５上に形成されている各膜も傾いているため、有機ＥＬ素子１から出射する光３０もガラス基板１１の法線方向に対して傾きを有している。なお、「発光層の傾き」、「発光面の傾き」および「出射面の傾き」は同じ意味のことを表現するものとして本明細書において交換可能に使用し得る。後述するように、有機ＥＬ素子１から出射される光は、有機ＥＬ素子１の出射面の法線方向において光の主成分を有している。よって、発光層１５の発光面の法線方向に出射する光３０が有機ＥＬ素子１からの光の主成分となり、その方向において最も輝度が高くなる。なお、発光層１５の傾きは、有機ＥＬ素子１がガラス基板１１上に設けられている位置によって異なり得る。
【００３７】
有機ＥＬ素子１は、便宜上、右目用画像（第１対象用画像）を表示するための右目用素子１Ｒと左目用画像（第２対象用画像）を表示するための左目用素子１Ｌとに分けられる。右目用素子１Ｒと左目用素子１Ｌとは、発光層１５の傾きが互いに異なる点以外は同一の構成である。
【００３８】
陽極１４は、ＩＴＯなどの透明電極およびＡｌを用いて形成されている。一方、陰極１６は、ＡｌおよびＡｇを用いて形成されている。このため、陽極１４は反射電極として機能し、陰極１６は半反射電極（半透過反射電極）として機能する。そのため、陽極１４と陰極１６との間の発光層１５から発光２３によって出た光が、反射電極である陽極１４と半反射電極である陰極１６との間で反射を繰り返す。また、有機ＥＬ素子１はマイクロキャビティ構造を有している。よって、マイクロキャビティ効果を利用することにより、特定波長の強度を強め、かつ出射光に指向性をもたせることができる。
【００３９】
ここで、マイクロキャビティ効果を利用して取り出される発光素子からの出射光について図２〜４を参照して説明する。
【００４０】
図２は電極間での光の共振を説明する図である。反射電極２２と半反射電極２１との間の発光層２５から発光２３によって出た光は、反射電極２２と半反射電極２１との間で反射を繰り返す。このとき反射電極２２と半反射電極２１との距離を調整することにより、光路長の一致した波長の光が共振によって光強度を強め、半反射電極２１の側から波長の一致した光３１のみが出射する。一方、それ以外の光路長のずれた波長の光３２は強度が弱まる。
【００４１】
図３は、下部電極として反射電極を用い、上部電極として半反射電極を用いた場合と、下部電極として反射電極を用い、上部電極として透明電極を用いた場合の出射光の特性を比較した結果を表す図である。図３に示すように、反射電極および透明電極を用いた場合と比較し、反射電極および半反射電極を用いた場合には、マイクロキャビティ効果により、特定波長の光の強度が強くなっていることが分かる。
【００４２】
図４は、マイクロキャビティ効果の有無による視野角特性の違いを示した図である。マイクロキャビティ効果を利用しない場合、出射光は、０°〜５０°の間でほぼ一定の輝度となる。一方、マイクロキャビティ効果を利用している場合、出射光は、０°において輝度がピークとなる。すなわち、発光素子の出射面の法線方向における光が、発光素子から出射される光の主成分となる。すなわち、マイクロキャビティの有無によって、視野角特性に違いが生じ、出射光が指向性を有することとなる。以上のように、外部に取り出される光は、正面輝度が最も高く、かつ色純度の高い光となる。
【００４３】
ここまで、有機ＥＬ素子１の構造として、ガラス基板１１とは反対側から光を出射させるトップエミッション（ＴＥ）構造について説明してきたが、ガラス基板１１側から光を出射させるボトムエミッション（ＢＥ）構造を用いることも可能である。
【００４４】
図５（ａ）は、ＴＥ構造を採用したときの光の出射を表しており、図５（ｂ）は、ＢＥ構造を採用したときの光の出射を表している。説明の便宜上、一部の部材の記載を省略している。図５（ａ）に示すようなＴＥ構造の有機ＥＬ素子１においては、陽極１４を反射電極２２とし、陰極１６を半反射電極２１とし、陰極１６側から光を出射させている。これに対し、ＢＥ構造の有機ＥＬ素子１では、陰極１６を反射電極２２とし、陽極１４を半反射電極２１とし、陽極１４側から光を出射させている。この場合であってもマイクロキャビティ効果が働き、指向性を有する高輝度の光を取り出すことができる。また、出射光３０はガラス基板１１から斜めに出射する。
【００４５】
（立体映像表示の原理）
次に、図６を参照しながら、立体映像表示装置１０による立体映像表示の原理について説明する。
【００４６】
立体映像表示装置１０では、右目用画像を表示する右目用表示部と左目用画像を表示する左目用表示部とが交互に繰り返し配置されている。右目用表示部には右目用素子１Ｒが設けられており、左目用表示部には左目用素子１Ｌが設けられている。図６では、説明の便宜上、各素子の光出射面のみを示している。また、右目用素子１Ｒと左目用素子１Ｒとが１つずつ交互に並んで設けられた図を示しているが、各表示部内で、右目用または左目用の有機ＥＬ素子１が複数個並んで設けられていてもよい。
【００４７】
右目用素子１Ｒそれぞれの出射面は、観察者の右目（第１対象）２Ｒに面する方向に傾いて形成されており、左目用素子１Ｌそれぞれの出射面は、観察者の左目（第２対象）２Ｌに面する方向に傾いて形成されている。すなわち、右目用素子１Ｒは、出射面に垂直な出射光が観察者の右目２Ｒに進むように形成されている。同様に、左目用素子１Ｌは、出射面に垂直な出射光が観察者の左目２Ｌに進むように形成されている。上述のように、有機ＥＬ素子１では、素子の出射面に垂直な方向の光が、出射光の主成分となっている。そのため、右目用素子１Ｒの出射光の主成分が観察者の右目２Ｒに進み、左目用素子１Ｌの出射光の主成分が観察者の左目２Ｌに進む。このため、右目２Ｒは、右目用素子１Ｒの出射光によって形成される右目用画像を主に認識し、一方、左目２Ｌは、左目用素子１Ｌの出射光によって形成される左目用画像を主に認識することになる。したがって、右目２Ｒと左目２Ｌとは互いに異なる画像を見ることになり、３次元画像を観賞することになる。したがって、特殊な眼鏡を用いなくても３次元画像表示が行えるようになる。
【００４８】
次に、有機ＥＬ素子１の発光層１５の傾斜について図７を参照しながら説明する。
【００４９】
本実施の形態では、観察者が立体映像表示装置１０の表示パネルのほぼ中央正面から画像を見る場合を想定している。そのため、表示パネルの中央部では、発光層１５に傾斜は設けられていないか、または傾斜角度はわずかである。有機ＥＬ素子１の配設位置が表示パネルの中央から端部に近づくに従って（図中矢印方向）、発光層１５の傾斜角度は大きくなり、端部においてその傾斜角度が最大となる。具体的に、表示パネルの大きさが３２型（横幅６９．８ｃｍ）である場合には、表示パネル右端にある右目用素子１Ｒにおける発光層１５の傾斜角度は内側に向かって１５°であることが好ましく、表示パネル左端にある右目用素子１Ｒにおける発光層１５の傾斜角度は内側に向かって１７°であることが好ましい。この場合、観察者がパネル正面の中央に位置し、３２型の表示パネルの最適視聴距離である１２０ｃｍの距離から右目で見たときに、各右目用素子１Ｒの出射面に垂直な出射光が右目２Ｒに到達することになる。すなわち、各右目用素子１Ｒの出射光の主成分が右目２Ｒに到達する。一方、左目用素子１Ｌでは、パネル右端にある左目用素子１Ｌにおける発光層の傾斜角度は内側に向かって１７°であり、パネル左端にある左目用素子１Ｌにおける発光層の傾斜角度は内側に向かって１５°であることが好ましい。この場合には、各左目用素子１Ｌの出射光の主成分が左目２Ｌに到達する。
【００５０】
また、表示パネルの大きさが２０型（横幅４４．４ｃｍ）である場合には、表示パネル右端にある右目用素子１Ｒにおける発光層１５の傾斜角度は内側に向かって１４°であることが好ましく、表示パネル左端にある右目用素子１Ｒにおける発光層１５の傾斜角度は内側に向かって１７°であることが好ましい。この場合、観察者がパネル正面の中央に位置し、２０型の表示パネルの最適視聴距離である８０ｃｍの距離から右目で見たときに、各右目用素子１Ｒの出射面に垂直な出射光が右目２Ｒに到達することになる。一方、左目用素子１Ｌでは、パネル右端にある左目用素子１Ｌにおける発光層の傾斜角度は内側に向かって１７°であり、パネル左端にある左目用素子１Ｌにおける発光層の傾斜角度は内側に向かって１４°であることが好ましい。
【００５１】
また、表示パネルの大きさが５２型（横幅１１５．２ｃｍ）である場合には、表示パネル右端にある右目用素子１Ｒにおける発光層１５の傾斜角度は内側に向かって１６°であることが好ましく、表示パネル左端にある右目用素子１Ｒにおける発光層１５の傾斜角度は内側に向かって１７°であることが好ましい。この場合、観察者がパネル正面の中央に位置し、５２型の表示パネルの最適視聴距離である１９０ｃｍの距離から右目で見たときに、各右目用素子１Ｒの出射面に垂直な出射光が右目２Ｒに到達することになる。一方、左目用素子１Ｌでは、パネル右端にある左目用素子１Ｌにおける発光層の傾斜角度は内側に向かって１７°であり、パネル左端にある左目用素子１Ｌにおける発光層の傾斜角度は内側に向かって１６°であることが好ましい。
【００５２】
図８は、立体映像表示装置１０の別の実施形態を表す図である。図８に示すように、有機ＥＬ素子１の前面に、パララックスバリア（バリア素子）３を補助的に導入してもよい。パララックスバリア３は、特定方向に進む光のみ透過させる透光部と、それ以外の方向に進む光を遮光する遮光部とを有しているスリット状の部材である。これにより、右目用素子１Ｒから出射する光のうち、主成分以外の光を遮光することができる。これにより、右目用画像の光が左目２Ｌに進むことをより確実に防ぐことができる。その逆もまた同様である。
【００５３】
立体映像表示装置１０のさらに別の実施形態として、有機ＥＬ素子１の前面に、各有機ＥＬ素子１からの出射光をそれぞれ集光するための球面レンズが配設されていてもよい。
【００５４】
（立体映像表示装置の製造方法）
立体映像表示装置の製造方法について、図１および図９から図１１を参照して以下に説明する。
【００５５】
まず、ガラス基板１１上にＴＦＴを作製し、その上に層間絶縁膜１３を形成する。ガラス基板１１上にＴＦＴを作製する方法は、従来公知の方法を利用すればよい。次に陽極１４として、膜厚１００ｎｍのＡｌ膜を成膜する。透明電極（不図示）として膜厚１０ｎｍのＩＴＯを積層した後、後述する手法により、パターン化された金属を加圧し、１５０℃の熱を加えてＩＴＯに斜めのパターンを形作る。その後、発光層１５を真空蒸着法によって形成する。その結果、陽極１４の傾きに合わせて発光層１５も傾きを有するように成膜される。発光層１５上に電子注入層（不図示）として膜厚１ｎｍのＬｉＦ膜を成膜し、さらに陰極１６として膜厚２ｎｍのＡｌ膜および膜厚２０ｎｍのＡｇ膜を成膜する。次いで、無機封止膜１７としてＰＥＣＶＤ（ｐｌａｓｍａ−ｅｎｈａｎｃｅｄ  ｃｈｅｍｉｃａｌ  ｖａｐｏｒ  ｄｅｐｏｓｉｔｉｏｎ）法によって膜厚１μｍのＳｉＮ膜、および樹脂封止膜１８として膜厚１０μｍのポリイミドをこの順に成膜する。最後に封止基板１９により封止をして円偏光板２０を形成する。以上により、陽極１４以降、すべて傾斜して成膜されることになる。これによって発光層１５の陰極１６側から垂直方向に出射する光を、ガラス基板１１に対して斜め方向に取り出すことができる。また、陽極１４が反射電極となり、陰極１６が半反射電極となる。
【００５６】
上述の製造方法によれば、図１および図５（ａ）に示されるような、出射光３０がガラス基板１１とは反対側から得られるＴＥ構造の有機ＥＬ素子１を製造できる。一方、上述の製造方法において、陽極１４の膜厚を２０ｎｍ、陰極１６の膜厚を１００ｎｍとして成膜することにより、図５（ｂ）に示されるような、出射光３０がガラス基板１１側から得られるＢＥ構造の有機ＥＬ素子１を製造できる。
【００５７】
次に、陽極１４に傾斜を設ける方法について説明する。なお、本実施の形態では、陽極１４に傾斜を設けているが、同様の方法によって、陽極１４とガラス基板１１とに挟まれた層間絶縁膜１３に傾斜を設けるものであってもよい。また、傾斜を設ける方法として、上述の製造方法では、金属を加圧する方法を用いているが、他にもラビング処理を行うラビング法、およびガラス基板１１を斜めに配置して成膜する方法が挙げられる。
【００５８】
まず金属を加圧することにより傾斜を設ける方法について図９を参照して説明する。加圧による成膜では、予め金属（加圧部材）２６に傾斜のパターンを形成しておき、それを陽極１４に押し付ける（図９（ａ））。このとき金属２６を加熱しておいてもよい。しばらくした後に金属２６の加圧をやめる。金属２６を陽極１４から引き離すと、陽極１４に金属２６とは逆のパターンの傾斜が形成されている（図９（ｃ））。以上により、陽極１４に傾斜のあるパターンを形成できる。
【００５９】
次にラビング法により傾斜を形成する方法ついて図１０を参照して説明する。ラビング法による成膜では、陽極１４を形成した後に、ラビングローラ２７を回転させながら陽極１４に押し当て（図１０（ａ））、そのままラビングローラ２７を移動させる（図１０（ｂ））。このときラビングローラ２７を加熱しておいてもよい。しばらくした後にラビングローラ２７の加圧をやめる。ラビングローラ２７を陽極１４から引き離すと、陽極１４に傾斜が形成されている（図１０（ｃ））。以上により、陽極１４に傾斜のあるパターンを形成できる。この後の発光層１５等の製造方法は、上述の方法と同じである。
【００６０】
次にガラス基板１１を斜めに配置して陽極１４を成膜することによって傾斜を形成する方法について図１１を参照して説明する。ここでは、坩堝（蒸着材料保持具）２８から陽極材料を蒸着させる方法について説明する。本方法では、陽極１４を形成する際に、ガラス基板１１を坩堝２８の表面（蒸発面）に対して０°〜４５°に傾けて配置する。これによってガラス基板１１と坩堝２８の表面との距離がガラス基板１１の右と左とで異なることになる。そのため、ガラス基板１１の左右で陽極１４の厚さが異なるものとなり、結果として陽極１４に傾斜を形成できる。図１１（ａ）と（ｂ）とはガラス基板１１の傾斜角度が異なっている。図１１（ａ）のガラス基板１１の傾きでは、蒸着により生じる陽極１４の膜厚は、紙面左側よりも右側の方が厚くなり、結果として、陽極１４の表面がガラス基板１１に対して傾くことになる。一方、図１１（ｂ）におけるガラス基板１１の傾きでは、蒸着により生じる陽極１４の膜厚は、紙面右側よりも左側の方が厚くなり、結果として、陽極１４の表面がガラス基板１１に対して、図１１（ａ）の場合とは逆の方向に傾くことになる。ガラス基板１１を配置するときの傾き角度を調節することにより、陽極１４表面に設けられる傾きの角度を調節できる。陽極１４形成後の、発光層１５等の製造方法は、上述の方法と同じである。
【００６１】
本実施の形態における製造方法によれば、上述の立体映像表示装置を製造できる。
【００６２】
〔実施の形態２〕
本発明に係る表示装置の他の実施形態について、図１２に基づいて説明すれば以下の通りである。なお、説明の便宜上、前述の実施の形態で用いたものと同じ機能を有する部材については、その説明を省略する。
【００６３】
上述の実施の形態では、特殊な眼鏡を用いずに３次元画像を観賞できる立体映像表示装置について説明したが、本実施の形態における表示装置は、複数人が同時に互いに異なる画像を観賞できるいわゆるデュアルビュー表示装置である。
【００６４】
デュアルビュー表示装置は、各発光層の傾きが上述の立体映像表示装置１０と異なる点以外は、上述の立体映像表示装置１０と同一の構成である。
【００６５】
図１２は、本実施の形態におけるデュアルビュー表示装置の、右側観察者用画像（第１対象用画像）を表示する右側観察者用画像表示部における右側観察者用発光素子１Ｒ’（第１発光素子）の光出射面と、この右側観察者用画像表示部に隣接している、左側観察者用画像（第２対象用画像）を表示する左側観察者用画像表示部における左側観察者用発光素子（第２発光素子）１Ｌ’の光出射面との関係を表す図である。図１２に示すように、左側観察者用発光素子１Ｌ’の光出射面は、右側観察者用発光素子１Ｒ’の光出射面に対して傾いており、その傾斜角度θは９０°以上１８０°未満である。これにより、右側観察者用発光素子１Ｒ’の光出射面から垂直に出射する出射光３３Ｒを、他方の光出射面によって遮られることなく、右側観察者（第１対象）に到達させることができる。同様に左側観察者用発光素子１Ｌ’の光出射面から垂直に出射する出射光３３Ｌを、他方の光出射面に遮られることなく、左側観察者（第２対象）に到達させることができる。以上のようにして、右側観察者と左側観察者にそれぞれ異なる画像を見せることが可能となる。
【００６６】
デュアルビュー表示装置では、表示パネル端のさらに外側から視聴することを想定しているため、立体映像表示装置１０と異なり、表示パネル端部における発光層１５の傾きは、２０°以上であってもよい。
【００６７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００６８】
（付記事項）
なお、本発明を以下のように表現することも可能である。
（第１の構成）
有機ＥＬ素子において、マイクロキャビティ効果を用いて視野角を０〜１２０度以内に限定する右目用照明素子と左目用照明素子を有する有機ＥＬ素子。
（第２の構成）
前記照明素子は、層間絶縁膜、もしくは陽極において０〜２０度以内の傾斜を有することを特徴とする第１の構成に記載の有機ＥＬ素子。
（第３の構成）
前記有機ＥＬ素子において、層間絶縁膜、もしくは陽極の傾斜がパネルの中心部から縁に向かって、徐々に傾斜が急になることを特徴とする第２の構成に記載の有機ＥＬ素子。
（第４の構成）
前記層間絶縁膜、もしくは陽極において、傾斜を作製する方法として、傾斜パターンが形成されたものと該層間絶縁膜、もしくは陽極とを加圧する方法を用いた第２、３の構成に記載の層間絶縁膜や陽極の傾斜作製方法。
（第５の構成）
前記層間絶縁膜、もしくは陽極において、傾斜を作製する方法としてラビング法を用いた第２、３の構成に記載の層間絶縁膜や陽極の傾斜作製方法。
（第６の構成）
前記陽極において、基板を斜めに配置し、陽極を作製する第２、３の構成に記載の陽極の傾斜作製方法。
（第７の構成）
右目用照明素子と左目用照明素子の前面に、遮光部と透光部をもつバリア素子を有することを特徴とする第１、２、３の構成に記載の有機ＥＬ素子。
（第８の構成）
右目用照明素子と左目用照明素子の前面に、右目用照明素子と左目用照明素子から出た光をそれぞれ集光するための球面レンズを有することを特徴とする第１、２、３の構成に記載の有機ＥＬ素子。
【産業上の利用可能性】
【００６９】
本発明は、特殊な眼鏡を必要とせずに３次元画像を観賞できる映像表示装置、複数の視聴者が同時に異なる画像を視聴できる表示装置に利用することができる。
【符号の説明】
【００７０】
１      有機ＥＬ素子（発光素子）
１Ｒ    右目用素子（第１発光素子）
１Ｌ    左目用素子（第２発光素子）
１Ｒ’  右側観察者用発光素子（第１発光素子）
１Ｌ’  左側観察者用発光素子（第２発光素子）
２Ｒ    右目（第１対象）
２Ｌ    左目（第２対象）
３      パララックスバリア
１０      立体映像表示装置（表示装置）
１１      ガラス基板（基板）
１２      配線
１３      層間絶縁膜
１４      陽極（第１電極）
１５      発光層（有機ＥＬ層）
１６      陰極（第２電極）
２６      金属（加圧部材）
２７      ラビングローラ
２８      坩堝（蒸着材料保持具）
【図１】
2010217581.tif 000003
【図２】
2010217581.tif 000004
【図３】
2010217581.tif 000005
【図４】
2010217581.tif 000006
【図５】
2010217581.tif 000007
【図６】
2010217581.tif 000008
【図７】
2010217581.tif 000009
【図８】
2010217581.tif 000010
【図９】
2010217581.tif 000011
【図１０】
2010217581.tif 000012
【図１１】
2010217581.tif 000013
【図１２】
2010217581.tif 000014
【図１３】
2010217581.tif 000015
【図１４】
2010217581.tif 000016